(57)【要約】【課題】光ディスク装置において、光ディスク回転時の振動及び騒音を低減可能な技術の提供。【解決手段】装置のトップケース側に、複数のシート状部材から成るクランパカバーを取付け、ディスククランパの回転中心軸方向の変位を抑えるとともに、ディスククランパ側から伝わる振動を、該クランパカバーの各シート状部材や結合用の粘弾性材の緩衝性により減衰させる。【選択図】  図１
2004318986.tif 000002
【特許請求の範囲】
【請求項１】
光ディスクを回転させ、情報の記録または再生を行う光ディスク装置において、
上記光ディスクを支持するターンテーブルと、
上記ターンテーブルに対向して配され、該ターンテーブルとの間に光ディスクを保持し、該ターンテーブル及び該光ディスクとともに回転可能なディスククランパと、
複数のシート状部材から成り、装置のトップケース側に取付けられ、上記ディスククランパの回転中心軸上の一部に当接し、該ディスククランパの回転中心軸方向の変位を抑えるクランパカバーと、
を備え、記録または再生動作時に、上記ディスククランパ側から上記クランパカバー側に伝達される振動を該クランパカバー内で減衰させる構成としたことを特徴とする光ディスク装置。
【請求項２】
光ディスクを回転させ、情報の記録または再生を行う光ディスク装置において、
上記光ディスクを支持するターンテーブルと、
回転中心軸上に突起部を有し、上記ターンテーブルに対向して配され、該ターンテーブルとの間に光ディスクを保持し、該ターンテーブル及び該光ディスクとともに回転可能なディスククランパと、
装置のトップケース側に固定され、粘弾性材により結合された複数のシート状部材から成り、該ディスククランパの上記突起部と当接して該ディスククランパの回転中心軸方向の変位を抑えるクランパカバーと、
を備え、記録または再生動作時に、少なくとも上記ディスククランパ側から上記クランパカバー側に伝達される振動を該クランパカバー内で減衰させる構成としたことを特徴とする光ディスク装置。
【請求項３】
上記クランパカバーは、上記複数のシート状部材のうち上記ディスククランパに当接したものよりも、上記粘弾性材を介して配されたものの方が、厚さ寸法を大きくされているかまたは剛性を高くされている請求項２に記載の光ディスク装置。
【請求項４】
上記クランパカバーは、粘弾性材を介し上記トップケースに取付けられる構成である請求項２に記載の光ディスク装置。
【発明の詳細な説明】
【０００１】
【発明の属する技術分野】
本発明は、光ディスク装置における回転振動に伴う騒音の低減化技術に関する。
【０００２】
【従来の技術】
従来、光ディスク装置においては、ＣＤあるいはＤＶＤ等の光ディスクをターンテーブル上にディスククランパにより押し付けて装着するとともに、該光ディスクの回転軸方向の浮き上がり変位を抑えることを主目的に、トップケース側に固定したシート部材で該ディスククランパの一部分を回転軸方向に対して押さえている。
また、本発明に関連した従来技術としては特開２００１−２０２７３５号公報（特許文献１）に記載されたものがある。該公報には、光ディスクの回転数が増大した場合にも、安定動作が得られるようにすべく、ハウジングのトップカバーに円形の穴を設け、該穴に外部側からキャップを取付け、該キャップの突出し部をスピンドルモータのシャフト先端に接触させるとともに、該キャップの外部をラベルで覆った構成が記載されている。これにより、光ディスクが高速回転した場合にも、ディスククランパの浮き上がりやトップカバーの沈み込みが防止され、騒音も緩和することができるとされる。
【０００３】
【特許文献１】
特開２００１−２０２７３５号公報（段落番号００１１、００１２、００１４、００１５、００１８、図１）
【０００４】
【発明が解決しようとする課題】
高密度記録のニーズに呼応して光ディスクの回転数は今後ますます増大される方向にある。上記従来技術においては、光ディスクの高速回転化につれ、振動・騒音も増大するため、従来よりも一層の低減化が望まれる。
本発明の課題点は、光ディスク装置において、光ディスクを高速回転させた場合にも、安定回転と、振動・騒音の低減化とを可能にすることである。
本発明の目的は、かかる課題点を解決できる技術の提供にある。
【０００５】
【課題を解決するための手段】
上記課題点を解決するために、本発明では、基本的に、光ディスク装置として、装置のトップケース側に、複数のシート状部材から成るクランパカバーを取付け、ディスククランパの回転中心軸上の一部がこれに当接する構成とし、該ディスククランパの回転中心軸方向の変位を抑えるとともに、少なくともディスククランパ側から伝わる振動を該クランパカバー中で減衰させ、装置の振動・騒音を抑えるようにする。
【０００６】
具体的には、光ディスク装置として、
（１）ターンテーブルに対向して配され該ターンテーブルとの間に光ディスクを保持し該ターンテーブル及び該光ディスクとともに回転するディスククランパと、装置のトップケース側に取付けられ複数のシート状部材から成り上記ディスククランパの回転中心軸上の一部に当接して該ディスククランパの回転中心軸方向の変位を抑えるクランパカバーとを備え、記録または再生動作時に、上記ディスククランパ側から上記クランパカバー側に伝達される振動を該ディスククランパシート内における緩衝性により減衰させる構成とする。
（２）回転中心軸上に突起部を有し上記ターンテーブルに対向して配され該ターンテーブルとの間に光ディスクを保持し該ターンテーブル及び該光ディスクとともに回転可能なディスククランパと、装置のトップケース側に固定され粘弾性材により結合された複数のシート状部材から成り該ディスククランパの上記突起部と当接して該ディスククランパの回転中心軸方向の変位を抑えるクランパカバーとを備え、記録または再生動作時に、少なくとも上記ディスククランパ側から上記クランパカバー側に伝達される振動を該クランパカバー内における緩衝性により減衰させる構成とする。
（３）上記（２）において、上記クランパカバーとして、複数のシート状部材のうち上記ディスククランパに当接したものよりも、上記粘弾性材を介して配されたものの方の厚さを厚くするかまたは剛性を高くする。
【０００７】
【発明の実施の形態】
以下、本発明の実施例につき、図面を用いて説明する。
図１〜図３は、本発明の光ディスク装置の実施例の説明図である。図１は、本発明の実施例としての光ディスク装置の外観図、図２は、図１の装置におけるＡ−Ａ断面における要部の構成図、図３は、同じく図１の装置におけるクランパカバーの断面図である。
図１において、１は、装置ハウジングを形成するトップケース、２はフロントパネル、３はクランパカバーである。クランパカバー３は、本実施例では、例えばＰＥＴ（ポリエチレンテレフタレート）などのプラスチックの２枚のシート状部材が、両面粘着テープなど粘弾性材により結合されて成り、トップケース１に設けた孔を覆うようにして該トップケース１に固定されている。該クランパカバー３の下部には、光ディスクが装着されるターンテーブル（図示なし）や、ターンテーブルに該光ディスクを押し付けるディスククランパ（図示なし）や、該ターンテーブルを回転駆動するスピンドルモータ（図示なし）などが組込まれている。
【０００８】
図２は、上記図１の装置のＡ−Ａ断面部の内部構成を示す。本構成は光ディスクが装着されたときの状態を示す。
図２において、１はトップケース、３はクランパカバー、４はディスククランパ、５はターンテーブル、１０は光ディスク、３ａは、クランパカバー３を構成する２枚のプラスチック製のシート状部材のうち装置外部側に配されるシート状部材、３ｂは、同じく２枚のプラスチック製のシート状部材のうち装置外部側に配されるシート状部材、４ａは、クランパカバー３側に配されるディスククランパ４の第１の突起部、４ｂは、ターンテーブル５側に配されるディスククランパ４の第２の突起部、４ｃは、ディスククランパ４の、光ディスク１０を押さえるためのディスク押さえ面、４ｄは円環状マグネット、４ｅは鉄等の磁性板、５ａは、光ディスク１０の中心孔に挿入されるターンテーブル５内のテーブル頭部、５ｂは、光ディスク１０の面を支持するターンテーブル５内の円環状シート、５ｃは、ターンテーブル５のテーブル頭部５ａに設けられ、ディスククランパ４の第２の突起部４ｂと係合される凹部である。クランパカバー３のシート状部材３ａ、３ｂは互いに、両面粘着テープなどの粘弾性材により結合され、うちシート状部材３ｂは、両面粘着テープなどの粘弾性材によりトップケース１の面に固定されている。ディスククランパ４のマグネット４ｄとターンテーブル５のテーブル頭部５ａとの間には吸引力が作用する。ターンテーブル５内のテーブル頭部５ａが光ディスク１０の中心孔に挿入され、該光ディスク１０の該中心孔の周囲の支持面がターンテーブル５の円環状シート５ｂに当接された状態において、ディスククランパ４は、該光ディスク１０をマグネット４ｄの上記吸引力によりターンテーブル５側に押し付ける。該状態において、ディスククランパ４の第１の突起部４ａは、クランパカバー３のシート状部材３ａの表面に接している。図２においてターンテーブル５の下方にはスピンドルモータ（図示なし）が配されている。
【０００９】
上記構成において、光ディスク装置の記録または再生動作時、スピンドルモータによりターンテーブル５が回転駆動されると、光ディスク１０とともにディスククランパ４も回転される。光ディスク１０とディスククランパ４の回転により、光ディスク１０とトップケース１との間や、ディスククランパ４とクランパカバー３との間などに負圧が発生し、光ディスク１０やディスククランパ４は、トップケース１やクランパカバー３側に浮き上がり力を発生して浮き上がり変位しようとするし、反対に、トップケース１やクランパカバー３は沈み込み力を発生して沈み込み変位しようとする。該浮き上がり変位や沈み込み変位は、ディスククランパ４の第１の突起部４ａがクランパカバー３に当接し該クランパカバー３から反力を受けることで阻止される。該第１の突起部４ａからは、スピンドルモータの振動や、ターンテーブル５の振動や、ディスククランパ４の振動などが、上記第１の突起部４ａを経てクランパカバー３側に伝えられる。クランパカバー３側に伝えられた振動は、クランパカバー３内において該クランパカバー３の緩衝性により減衰される。該振動減衰により、トップケース１側に伝わる振動は小さくなる。このため、光ディスク装置の騒音も低減化される。クランパカバー３内では、プラスチック製のシート状部材３ａ、３ｂの緩衝性（ダンパー性）や、該両シート状部材３ａ、３ｂ間に設けられた粘弾性材の緩衝性などによって振動が減衰する。
【００１０】
図３は、図１の光ディスク装置におけるクランパカバーの断面図である。
図３において、３ａ、３ｂは、プラスチック製のシート状部材、３ｃは、シート状部材３ａ、３ｂを互いに結合する両面粘着テープなどの粘弾性材、３ｄは、シート状部材３ｂをトップケース１側に固定するため両面粘着テープなどの粘弾性材である。本実施例では、シート状部材３ａは、シート状部材３ｂよりも厚くされている。ディスククランパ４の第１の突起部４ａからクランパカバー３に伝えられた振動は、プラスチック製のシート状部材３ｂにより減衰される。該減衰された振動がさらに粘弾性材３ｃに伝わり、ここでその緩衝性により、振動がさらに減衰される。粘弾性材３ｃからさらに、プラスチック製のシート状部材３ａに伝達された振動は、該シート状部材３ａ内でもその緩衝性により減衰される。また、上記シート状部材３ｂにより減衰された振動は、粘弾性材３ｄを経てトップケース１側に伝達される。クランパカバー３内を、シート状部材３ｂ、粘弾性材３ｃ、シート状部材３ａの順に伝達される振動も、シート状部材３ｂ、粘弾性材３ｄ、トップケース１の順に伝達される振動もともに、減衰しながら伝達されるため、クランパカバー３全体の振動も低減されるし、トップケース１の振動も低減されるし、さらには、第１の突起部でクランパカバー３に当接しているディスククランパ４の振動も低減化される。各振動の低減化により、これらの各振動に起因した騒音も付随的に低減化される。特に本実施例では、シート状部材３ａの厚さｔａを、シート状部材３ｂの厚さｔｂよりも厚くし（ｔａ＞ｔｂ）、シート状部材３ｂではその緩衝性を大きくして振動の減衰を確保するとともに、シート状部材３ａでは剛性を大きくしてクランパカバー３全体の剛性を確保してクランパカバー３の沈み込みやディスククランパ４の浮き上がりを低いレベルに抑える。
【００１１】
上記実施例構成によれば、光ディスク装置において、ディスククランパ４の回転中心軸方向の変位を抑えられるとともに、ディスククランパ４側からクランパカバー３側に伝わる振動を該クランパカバー３中で減衰させることができる。このため、光ディスクを高速回転させた場合にも、安定な回転と、振動・騒音の低減化とが可能となる。
【００１２】
なお、上記実施例では、クランパカバー３のシート状部材３ａの厚さを、シート状部材３ｂの厚さよりも厚くすることで、該シート状部材３ａの剛性をシート状部材３ｂのそれよりも高くしているが、本発明はこれに限定されず、この他、シート状部材３ａの厚さを、シート状部材３ｂの厚さよりも厚くすることなく、例えばシート状部材の材質の選定などにより、該シート状部材３ａの剛性を該シート状部材３ｂのそれよりも高くするようにしてもよい。
【００１３】
【発明の効果】
本発明によれば、光ディスク装置において、安定な回転と、振動・騒音の低減化とが可能となる。
【図面の簡単な説明】
【図１】本発明の実施例としての光ディスク装置の外観図である。
【図２】図１のＡ−Ａ断面における要部構成図である。
【図３】図１のクランパカバーの断面図である。
【符号の説明】
１…トップケース、  ２…フロントパネル、  ３…クランパカバー、  ３ａ、３ｂ…シート状部材、  ４…ディスククランパ、  ４ａ…第１の突起部、  ４ｂ…第２の突起部、  ４ｃ…ディスク押さえ面、  ４ｄ…円環状マグネット、  ４ｅ…磁性板、  ５…ターンテーブル、  ５ａ…テーブル頭部、  ５ｂ…円環状シート、  ５ｃ…凹部、  １０…光ディスク。
【図１】
2004318986.tif 000003
【図２】
2004318986.tif 000004
【図３】
2004318986.tif 000005